(57)【特許請求の範囲】
【請求項１】
裏面に垂直方向に針を立てた金属プレートと、該金属プレートの針を受けて該金属プレートを固定するための受け台と、磁石からなる留め具であって、該磁石が該金属プレート表面に一体化された構造からなり、該磁石表面に互いに吸引力が働く組み合わせの一対の該留め具をカーテンの両端に取り付けて用いることで、カーテンを束ねた際、互いの磁着によりカーテンを挟んで留めることが出来る磁石付きカーテン留め具。
【請求項２】
請求項１記載の磁石付きカーテン留め具において、金属プレートと受け台に代えて安全ピン付き装飾品を備えた磁石付きカーテン留め具であって、請求項１記載の磁石が該安全ピンの針を貫通させて連結するための連結部を有する磁石である磁石付きカーテン留め具。
【請求項３】
請求項１記載の磁石付きカーテン留め具において、金属プレートと受け台に代えてクリップ付き装飾品を備えた磁石付きカーテン留め具であって、請求項１記載の磁石が該クリップと連結するための連結部を有する磁石である磁石付きカーテン留め具。
【発明の詳細な説明】
【技術分野】
【０００１】  この発明は、カーテンの両端に取り付けて用いる磁石付きカーテン留め具に関するものである。
【背景技術】
【０００２】  従来、カーテンを留めるための一般的手法としてカーテンを束ねるためのタッセル及び房掛けの組み合わせ又はカーテン自体を引っ掛けて用いるカーテンホルダーにより行われてきたが、この場合壁などにネジ穴を開けるか又は強力な接着テープを用いるなどして房掛け又はカーテンホルダーを取り付ける必要があり、ごく僅かであるが建物に傷をつける代償を伴ってきた。【０００３】  また、タッセル等を用いないでクリップによりカーテンを束ねる方法も一般的であるが、この場合、カーテンを閉めている際のクリップの置き場所に困ることがあった。【０００４】  一方、房掛けを用いないカーテンを留める手法の１例として特許文献１に開示されたマグネットを用いたタッセルが挙げられる。これはタッセルの一端を一対の磁石でカーテンに挟持させて固定し、カーテンを束ねる際にはタッセルの両端を磁着によりリング状にして用い、カーテンを閉める時など、タッセルを用いない際にはタッセルの一端がカーテンに固定されているため房掛けを必要としないものである。
【先行技術文献】
【特許文献】
【０００５】
【特許文献１】特開２０１２−０９５８２３
【発明の概要】
【発明が解決しようとする課題】
【０００６】  掃き出し窓用カーテンなどカーテンサイズが大きい場合インテリア重視でタッセル等を用いることが多く、この場合房掛けを窓枠などにねじ止めし永続的に使用することに問題はない。一方、腰窓用などカーテンサイズが小さい場合、インテリア重視でタッセル等を用いる場合もあるが、実用性を重視し建物に傷をつける代償を伴ってまで房掛けを取り付けることをせず、より簡易的にカーテンを束ねる方法が求められる場合も多い。このような場合には前述特許文献１に開示されたマグネットを用いたタッセルが有効である。【０００７】  しかし、特許文献１に開示されたマグネットを用いたタッセルは、磁石の磁着力によりカーテンに固定されているため、確実な固定方法とは言えず、タッセル操作時に意に反してタッセルがカーテンから外れてしまうという現象が起こり得るという欠点を備えている。実用性を重視した場合、インテリアとしての機能を兼ね備えているタッセルは必ずしも必要とされず、カーテンを束ねる際の操作性が最も重視される。この場合特許文献１に開示されたマグネットを用いたタッセルは操作に多少の注意が必要とされることから、実用性を重視したカーテンの束ね方として最適な手法と言えるものではない。【０００８】  実用性を重視したカーテンを束ねる手法としてクリップによる方法も有効である。しかし、この場合使用していない時のクリップの置き場に困ることに加え、カーテンを束ねた際の見栄え及び操作性の面でタッセルを用いた場合に比べ劣ることが多く、クリップを用いる方法も実用性を重視したカーテンを束ねる方法として最適なものと言えるものではない。【０００９】  前述のとおり現状のカーテンの留め方として、実用性を重視した場合においても結局はインテリア性を重視した場合と同じタッセルを用いる方法か又は実用性がタッセルに比べ劣ることが多いクリップを用いる方法くらいしか一般的に提供されていない。本発明において、カーテンの留め具として実用性に優れた、カーテンの両端に取り付けて用いる磁石付きカーテン留め具を新たな選択肢の一つとして提供する。
【課題を解決するための手段】
【００１０】  第１の課題解決手段に係る磁石付きカーテン留め具は、カーテン生地に容易に取り付け又は取り外しが可能である、磁石と一体化して用いる器具からなる留め具であって、該磁石表面に互いに吸引力が働く組み合わせの一対の該器具をカーテンの両端に取り付けて用いることで、カーテンを束ねた際、互いの磁着によりカーテンを挟んで留めることが出来る磁石付きカーテン留め具（第１発明）である。【００１１】  ここで、前記器具に取り付ける磁石は小型で強力な磁力を有するネオジム磁石を用い、用途に合致した吸着力を有するネオジム磁石を選定し器具と一体化する。選定する磁石の吸着力はカーテンを束ねた状態で挟持する力と深く関係し、吸着力が弱すぎるとカーテンを束ねた状態で挟持することが出来なくなり、吸着力が必要以上に強いとその分磁石が大型化するため適度な吸着力を有する磁石を選定する必要があり、ここで適度な吸着力とは１ｋｇｆから３ｋｇｆ程度を示す。【００１２】  第２の課題解決手段に係る磁石付きカーテン留め具は、第１発明に係るカーテン生地に容易に取り付け又は取り外しが可能な構造が、針をカーテン生地に貫通させて留め具で固定する構造である磁石付きカーテン留め具（第２発明）である。【００１３】  第３の課題解決手段に係る磁石付きカーテン留め具は、第２発明に係る針をカーテン生地に貫通させて留め具で固定する構造が、裏面に垂直方向に針を立てた金属プレートと該金属プレートの針を受けて該金属プレートを固定するための受け台からなる器具において該金属プレート表面に磁石が一体化された構造である磁石付きカーテン留め具（第３発明）である。【００１４】  第３発明に係る磁石付きカーテン留め具の１例として、ピンズの金属プレート表面に磁石を一体化することで実現できる。【００１５】  第４の課題解決手段に係る磁石付きカーテン留め具は、第２発明に係る針をカーテン生地に貫通させて留め具で固定する構造が、安全ピン又はブローチピンである磁石付きカーテン留め具（第４発明）である。【００１６】  第５の課題解決手段に係る磁石付きカーテン留め具は、第４発明に係る安全ピン又はブローチピンにより、装飾品をカーテンに定着させる構造である磁石付きカーテン留め具（第５発明）である。【００１７】  第６の課題解決手段に係る磁石付きカーテン留め具は、第５発明に係る装飾品がくるみボタンである磁石付きカーテン留め具（第６発明）である。【００１８】  第７の課題解決手段に係る磁石付きカーテン留め具は、第２発明に係る針をカーテン生地に貫通させて留め具で固定する構造が、安全ピン付き装飾品と該安全ピンの針を貫通させて連結するための連結部を有する磁石からなる構造である磁石付きカーテン留め具（第７発明）である。【００１９】  第８の課題解決手段に係る磁石付きカーテン留め具は、第７発明に係る安全ピン付き装飾品が缶バッジである磁石付きカーテン留め具（第８発明）である。【００２０】  第９の課題解決手段に係る磁石付きカーテン留め具は、第１発明に係るカーテン生地に容易に取り付け又は取り外しが可能な構造がクリップ構造である磁石付きカーテン留め具（第９発明）である。【００２１】  第１０の課題解決手段に係る磁石付きカーテン留め具は、第９発明に係るクリップ構造がクリップ付き装飾品と該クリップと連結するための連結部を有する磁石からなる構造である磁石付きカーテン留め具（第１０発明）である。【００２２】  第１１の課題解決手段に係る磁石付きカーテン留め具は、第１発明に係るカーテン生地に容易に取り付け又は取り外しが可能な構造がカーテンに縫い付けて取り付ける構造である磁石付きカーテン留め具（第１１発明）である。【００２３】  第１２の課題解決手段に係る磁石付き係止具は第２発明に係る磁石付きカーテン留め具１個をカーテン以外の対象物に取り付け、前記対象物と一体化した該留め具を鋼製面などに磁着させることにより前記対象物を係止する磁石付き係止具（第１２発明）である。ここで前記対象物には、針を貫通させることが可能であり、また、該係止具の磁着力により係止することが可能である重さの物を対象とする。
【発明の効果】
【００２４】  第１の効果に、本発明品を用いた場合房掛けの設置が不要なため建物を傷つけることがなく、更に、カーテン両端に取り付けた本発明品を互いに近づけることで各々に働く磁着力によりカーテン留めをすることが出来、また、各々に働く磁着力に勝る力を加えることでカーテン留めを外すことが出来るという優れた操作性にある。【００２５】  第２の効果に、本発明品はカーテン生地に容易に取り付け又は取り外しが可能な構造を有し、更に前記構造がカーテン生地に針を貫通させて固定する構造又はクリップ構造であるため本発明品をカーテンに定着することができるという構造にある。【００２６】  第３の効果に、本発明品は、カーテン生地に針を貫通させて固定する構造として、安全ピン又はブローチピンを用いた場合、カーテン端部の生地折り返し部分に針を貫通して固定することにより、本発明品の設置前後においてカーテン表面からの外観は一切変わることなく、本発明品を定着することが出来ることにある。【００２７】  第４の効果に、本発明品は安全ピン付き装飾品又はクリップ付き装飾品を用いることにより実用性に加えインテリア性を兼ね備えた器具構成であることにある。１例として子供部屋のカーテン留め具としてキャラクターの缶バッジを用いることが挙げられる。【００２８】  第５の効果に、本発明品は安全ピン付き装飾品又はクリップ付き装飾品と該装飾品と連結するための連結部を有する磁石が独立した構造からなるため、装飾品は気に入ったものに変更することが可能であることが挙げられる。１例として、テーマパークで入手した思い出のぬいぐるみバッジをカーテン留め具として利用することが可能である。【００２９】  第６の効果に、本発明品１個をカーテン以外の対象物に針を貫通させて留め具で固定することにより、前記対象物に磁石を定着することが可能となったことが挙げられる。例えば、従来のクリップ付き磁石を対象物に取り付けた場合、対象物を引っ張った際にクリップの外れが起こり得る状態であったが、本発明品である該留め具を対象物に取り付けた場合、対象物を引っ張った際に該留め具が前記対象物に定着しているため、該留め具が外れることは起こり得ない。
使用例として、透明ビニル袋に本発明品を取り付け冷蔵庫などの鋼製面に係止することが挙げられ、この場合日常的に使用する物を前記ビニル袋に入れることで利便性が増し、１例として日常的に服用する薬を入れて使用することが想定される。
【図面の簡単な説明】
【００３０】
【図１】請求項１に係る磁石付きカーテン留め具の説明図を示す。
【図２】請求項３に係る磁石付きカーテン留め具の断面図を示す。
【図３】請求項３に係る磁石付きカーテン留め具の斜視図を示す。
【図４】請求項４に係る磁石付きカーテン留め具の断面図を示す。
【図５】請求項５乃至請求項６に係る磁石付きカーテン留め具の断面図を示す。
【図６】請求項７に係る磁石付きカーテン留め具の斜視図を示す。
【図７】請求項８に係る磁石付きカーテン留め具の説明図を示す。
【図８】請求項９に係る磁石付きカーテン留め具の斜視図を示す。
【図９】請求項１０に係る磁石付きカーテン留め具の説明図を示す。
【図１０】請求項１１に係る磁石付きカーテン留め具の断面図を示す。
【図１１】請求項１２に係る磁石付きカーテン留め具の説明図を示す。
【発明を実施するための形態】
【００３１】  図１は請求項１に係るカーテン留め具の説明図を示す。
図１ａはカーテン（１）を閉めた状態でありカーテン（１）の両耳部に高さを合わせて磁石付きカーテン留め具（２ａ）及び（２ｂ）を取り付ける。ここで、磁石付きカーテン留め具（２ａ）及び（２ｂ）は互いに吸着し合う組み合わせで取り付ける。
図１ｂはカーテン（１）を束ねた状態で、磁石付きカーテン留め具（２ａ）及び（２ｂ）によりカーテン（１）を挟持することによりカーテン（１）を留めた状態である。
【００３２】  図１ｃは両開きカーテン（３ａ）及び（３ｂ）ともに閉めた状態であり、この時両開きカーテン（３ａ）に取り付けられた磁石付きカーテン留め具（２ｃ）と両開きカーテン（３ｂ）に取り付けられた磁石付きカーテン留め具（２ｄ）の各々の磁石表面が反発し合うように両開きカーテン（３ａ）及び（３ｂ）に取り付ける。
両開きカーテンを閉めた状態の際、カーテン留め具（２ｃ）と（２ｄ）が両開きカーテン（３ａ）の耳と（３ｂ）の耳が重なる状態で吸着し、その結果、中央に隙間ができないよう両開きカーテンを留めることが出来る。
【００３３】  図２は請求項３に係る断面図を示す。
針（４）を裏面に垂直方向に立てた金属プレート（５）と一体化された磁石（７）及びカバー（６）により構成されるカーテン留め具である。
【００３４】  図３は磁石（７）と一体化した該金属プレートに垂直方向に立てた針（４）を固定するための受け台（８）から構成される磁石付きカーテン留め具をカーテン（９）に取り付ける際の斜視図を示す。
【００３５】  図４は請求項４に係る断面図を示す。
磁石（１０）と緩衝機能を有するカバー（１１）とブローチピン（１２）から構成されるカーテン留め具である。
【００３６】  図５は請求項５乃至請求項６に係る断面図を示す。
前記００３５段落記載の磁石（１０）とブローチピン（１２）が一体化されたカーテン留め具の針を、くるみボタン（１４）の足を貫通した状態でカーテン（１３）に留めた状態を示す。
【００３７】  図６は請求項７に係る磁石付きカーテン留め具の斜視図を示す。
皿穴付き磁石（１５）、カバー（１６）及び連結部（１７）から成る磁石付きカーテン留め具の連結部（１７）に安全ピン（１８）の針を貫通させて該磁石付きカーテン留め具と安全ピン（１８）一体化したものである。
【００３８】  図７は請求項８に係る説明図を示す。
前記００３７段落記載の磁石付きカーテン留め具（１９）と缶バッジ（２０）を安全ピン（２１）により一体化したものである。
【００３９】  図８は請求項９に係る磁石付きカーテン留め具の斜視図を示す。
皿穴付き磁石（２２）、カバー（２３）及び連結部（２４）から成る磁石付きカーテン留め具の連結部（２４）にクリップ（２５）を貫通させて該磁石付きカーテン留め具とクリップ（２５）一体化したものである。
【００４０】  図９は請求項１０に係る説明図を示す。
前記００３９段落記載の磁石付きカーテン留め具（２６）とクリップ（２７）と一体化した装飾品（２８）をカーテン（２９）に取り付けた際の斜視図である。
【００４１】  図１０は請求項１１に係る断面図を示す。
連結部（３１）を有する磁石（３０）をカーテン（３２）に紐（３３）により縫い付けた状態の断面図である。
【００４２】  図１１は請求項１２係る説明図を示す。
ビニル袋（３４）に磁石付き係止具（３５）を針を貫通させて留め具で固定することで定着させ、磁石付き係止具（３５）を鋼製面（３６）に磁着させることによりビニル袋（３４）を係止する。ビニル袋（３４）と磁石付き係止具（３５）は一体化しているため、ビニル袋（３４）を引っ張ることで取り外し可能であり、係止する際もビニル袋（３４）を鋼製面（３６）に近づけるだけで磁石付き係止具（３５）の磁着により係止することが出来る。
【符号の説明】
【００４３】  １  カーテン
２  磁石付きカーテン留め具
３  両開きカーテン
４  針
５  金属プレート
６  カバー
７  磁石
８  受け台
９  カーテン
１０  磁石
１１  カバー
１２  ブローチピン
１３  カーテン
１４  くるみボタン
１５  皿穴付き磁石
１６  カバー
１７  連結部
１８  安全ピン
１９  磁石付きカーテン留め具
２０  缶バッジ
２１  安全ピン
２２  皿穴付き磁石
２３  カバー
２４  連結部
２５  クリップ
２６  磁石付きカーテン留め具
２７  クリップ
２８  装飾品
２９  カーテン
３０  磁石
３１  連結部
３２  カーテン
３３  紐
３４  ビニル袋
３５  磁石付き係止具
３６  鋼製面
【図１】
0006343736.tif 000002
【図２】
0006343736.tif 000003
【図３】
0006343736.tif 000004
【図４】
0006343736.tif 000005
【図５】
0006343736.tif 000006
【図６】
0006343736.tif 000007
【図７】
0006343736.tif 000008
【図８】
0006343736.tif 000009
【図９】
0006343736.tif 000010
【図１０】
0006343736.tif 000011
【図１１】
0006343736.tif 000012